(57)【要約】【課題】本発明は、自動的にエアフィルタから塵埃を除去する手段を備えて、掃除手間の軽減化をなすとともに、エアフィルタ掃除の動作を常に正常状態で行い長期間にわたって清潔に保つことができる空気調和機の室内機を提供する。【解決手段】熱交換器８および送風機１０を収容し、吸込み口４，５に対向してエアフィルタ１７，２０が配置かつ移動自在に支持され、エアフィルタ清掃ユニットＳがエアフィルタ表面に付着する塵埃を除去して収集し、吸排気装置１１が収集される塵埃を吸引して屋外へ排出し、制御部Ｎがエアフィルタ清掃運転の開始時にエアフィルタ清掃ユニットが正しく機能するか否かをチェックするチェックモード、エアフィルタをエアフィルタ清掃ユニットへ導き付着している塵埃を除去するエアフィルタ清掃モード、吸排気装置を作動し収集された塵埃を屋外へ排出する塵埃排出モードを備えた。【選択図】    図１
2007205670.tif 000002
【特許請求の範囲】
【請求項１】
内部送風路に熱交換器および送風機を収容し、上記熱交換器上流側に吸込み口を備えた空気調和機の室内機において、
この吸込み口に対向して配置されるエアフィルタと、
上記エアフィルタの表面に付着する塵埃を除去して収集するエアフィルタ清掃ユニットと、
このエアフィルタ清掃ユニットに収集される塵埃を吸引して屋外へ排出するファンを備えた吸排気装置と、
エアフィルタ清掃運転の開始時に上記エアフィルタ清掃ユニットが正しく機能するか否かをチェックするチェックモード、エアフィルタをエアフィルタ清掃ユニットへ導きエアフィルタに付着している塵埃を除去するエアフィルタ清掃モード、上記吸排気装置を作動してエアフィルタ清掃ユニットに収集された塵埃を屋外へ排出する塵埃排出モードを備えたエアフィルタ清掃運転制御手段と
を具備することを特徴とする空気調和機の室内機。
【請求項２】
内部送風路に熱交換器および送風機を収容し、上記熱交換器上流側に吸込み口を備えた空気調和機の室内機において、
上記吸込み口に対向して配置される複数に分割されたエアフィルタと、
上記複数に分割されたエアフィルタの間に配置され、上記各エアフィルタの移動と連係して駆動し各エアフィルタに付着する塵埃を除去する回転ブラシ、回転ブラシに対向して設けられ上記回転ブラシをエアフィルタに接触させるための開口部および上記回転ブラシ側部に沿って設けられ回転ブラシが掻き取った塵埃を回収する塵埃受け通路を備えたダストボックスと、このダストボックスの上記開口部を開閉自在に閉塞するシール部材を備えたエアフィルタ清掃ユニットと、
上記室内機本体の一側部に配置され、上記ダストボックスの塵埃受け通路に収集される塵埃を吸引して屋外へ排出するファンを備えた吸排気装置と、
エアフィルタ清掃運転の開始時に上記シール部材が上記開口部を正しく開閉するか否かをチェックするチェックモード、各エアフィルタをエアフィルタ清掃ユニットに導き各エアフィルタに付着している塵埃を除去するエアフィルタ清掃モード、上記吸排気装置を作動してエアフィルタ清掃ユニットに収集された塵埃を屋外へ排出する塵埃排出モードを備えたエアフィルタ清掃運転制御手段と
を具備することを特徴とする空気調和機の室内機。
【請求項３】
上記制御手段によるチェックモードは、
上記シール部材を昇降駆動して、上記開口部に対するシール部材の開閉動作を判定し、正常判定のあと、それぞれのエアフィルタを上記エアフィルタ清掃ユニットから離反する所定位置に移動させることを特徴とする請求項２記載の空気調和機の室内機。
【請求項４】
上記制御手段によるエアフィルタ清掃モードは、
一方のエアフィルタに対する清掃とエアフィルタの位置確認モードと、他方のエアフィルタに対する清掃とエアフィルタの位置確認モードの順に実行されることを特徴とする請求項２記載の空気調和機の室内機。
【請求項５】
上記制御手段によるエアフィルタ清掃モードは、
上記それぞれのエアフィルタを上記エアフィルタ清掃ユニットへ送り込む直前に上記回転ブラシを回転駆動し、
エアフィルタ清掃ユニットからそれぞれのエアフィルタを送り出す直前に回転ブラシの回転を停止することを特徴とする請求項２記載の空気調和機の室内機。
【請求項６】
上記制御手段による塵埃排出運転モードは、
上記エアフィルタ清掃ユニットの上記開口部をシール部材で閉成し、そのあと回転ブラシを回転駆動するとともに吸排気装置を動作することを特徴とする請求項２記載の空気調和機の室内機。
【請求項７】
上記制御手段による塵埃排出運転は、
上記吸排気装置におけるファンの運転速度を時間の経過にともなって変化させたことを特徴とする請求項１および請求項２のいずれかに記載の空気調和機の室内機。
【発明の詳細な説明】
【技術分野】
【０００１】
本発明は、エアフィルタが室内空気から捕捉した塵埃を、自動でエアフィルタから除去する掃除機能を備えた空気調和機の室内機に関する。
【背景技術】
【０００２】
空気調和機の室内機では、吸込み口から本体内に室内空気が吸込まれるが、室内空気に含まれる塵埃は吸込み口と対向して設けられるエアフィルタで捕捉され、室内空気のみが熱交換器に導かれて熱交換される。空調運転の継続にともないエアフィルタに捕捉された塵埃が堆積し、そのまま放置すると熱交換器に対する室内空気の流通が阻害されて熱交換効率の低下を招いてしまう。  
熱交換効率の向上を図るため、理想的にはエアフィルタに付着している塵埃を定期的に除去する必要がある。本体前面を構成する前面パネルは回動自在に設けられ、これを開放するとエアフィルタが露出する。エアフィルタ下端部を摘んで引き下ろせば、エアフィルタを容易に本体から取外せる。エアフィルタに付着している塵埃を除去したあと、再びエアフィルタを本体内へ押し上げれば、元の位置に戻すことができる。
【０００３】
しかしながら、一般的に多用される空気調和機の室内機は、いわゆる壁掛け式と呼ばれていて、部屋の壁面高所に取付けられる。そのため、たとえば高齢者や女性にとっては前面パネルの開閉とフィルタの着脱操作が困難をともない、エアフィルタに塵埃を付着させたままの状態になり易い。  
そこで、たとえば［特許文献１］および［特許文献２］には、エアフィルタに付着するゴミを自動的に除去する手段を備えた空気調和機が開示されている。具体的には、逆Ｖ字状の熱交換器に対し、筐体前面から上面にかけてエアフィルタを配置し、エアフィルタのゴミを取るゴミ取り部を設けてなる。
【特許文献１】特開２００２−３４０３９５号公報
【特許文献２】特開２００４−２７８９２３号公報
【発明の開示】
【発明が解決しようとする課題】
【０００４】
上述の［特許文献１］の技術によれば、エアフィルタ上を移動自在に形成されたゴミ吸引部により、エアフィルタに付着するゴミを本体側面に配置された吸引ファンで吸引し、吸引ダクトを介して吸引ファン近傍に設けたゴミ収納部に収納するように構成している。また、［特許文献２］の技術によれば、空気調和機に、吸引排気装置と、吸引排気装置から室外へ排気する排気ダクトを有し、エアフィルタに付着した塵埃を吸込ノズルで吸引し
て、吸引排気装置により排気ダクトから室外へ排出するように構成している。  
しかしながら、このようなエアフィルタの掃除は、所定の運転時間間隔で行われるため、エアフィルタとエアフィルタ掃除手段との接合状態が常に所定位置にあるとは限らず、ずれが生じる場合がある。このために、エアフィルタ掃除手段が正常に動作せずエアフィルタの清掃が行われなかったり、うまく清掃されない状態で運転が継続されてしまうといった不具合が生じる可能性があった。
【０００５】
本発明は上記事情にもとづきなされたものであり、その目的とするところは、エアフィルタ掃除の動作を常に正常状態で行うことができ、室内機内に配置されるエアフィルタを長期間にわたって清潔に保つことができる空気調和機の室内機を提供しようとするものである。
【課題を解決するための手段】
【０００６】
上記目的を満足するため本発明の空気調和機の室内機は、室内機本体が内部に熱交換器および送風機を収容し、吸込み口が室内機本体の熱交換器上流側に設けられ、エアフィルタが吸込み口に対向して配置され、エアフィルタ清掃ユニットがエアフィルタの表面に付着する塵埃を除去して収集し、吸排気装置がエアフィルタ清掃ユニットに収集される塵埃を吸引して屋外へ排出し、エアフィルタ清掃運転制御手段がエアフィルタ清掃運転の開始時にエアフィルタ清掃ユニットが正しく機能するか否かをチェックするチェックモード、エアフィルタをエアフィルタ清掃ユニットへ導きエアフィルタに付着している塵埃を除去するエアフィルタ清掃モード、上記吸排気装置を作動してエアフィルタ清掃ユニットに収集された塵埃を屋外へ排出する塵埃排出モードを備えた。
【発明の効果】
【０００７】
本発明によれば、エアフィルタから自動的に塵埃を除去するエアフィルタ掃除の動作を常に正常な状態で行うことで、エアフィルタ自動清掃運転を安定して行うことができ、製品の信頼性向上が図れるとともに、フィルタ掃除の手間をなくし、常にフィルタを清潔に保持できる等の効果を奏する。
【発明を実施するための最良の形態】
【０００８】
以下、図面を参照しながら、本発明の実施の形態について詳細に説明する。  
図１は空気調和機の室内機に係る概略の縦断面図と構成図である。（なお、説明中に符号を付していない部品は図示していない。以下同じ）  
室内機本体１は、前側筐体を構成する前面パネル２と、後側筐体を構成する後板筐体３とから構成され、上下方向に対して幅方向に横長状をなす。室内機本体１の前面側一部に前面吸込み口４が開口され、この前面吸込み口４に対向する前面パネル２には開閉駆動機構に支持される可動パネル２Ａが嵌め込まれている。  
運転停止の状態では、上記可動パネル２Ａは前面パネル２表面に接合して同一面となり前面吸込み口４を閉成するが、運転時には手前側に突出変位して周囲に室内と連通する隙間を生じさせ、前面吸込み口４が室内に開放するよう制御される。室内機本体１の上部には上面吸込み口５が設けられる。この上面吸込み口５には枠状の桟が嵌め込まれていて、上記桟によって複数の空間部に仕切られている。
【０００９】
上記室内機本体１の前面下部に吹出し口６が開口され、この吹出し口６には上下に２枚の吹出しルーバー７ａ，７ｂが並行して設けられる。各吹出しルーバー７ａ，７ｂは、それぞれの回動姿勢によって上記吹出し口６を開閉し、かつ運転条件に応じて熱交換空気の吹出し方向を設定できるようになっている。  
室内機本体１内には、前側熱交換器部８Ａと後側熱交換器部８Ｂとで略逆Ｖ字状に形成される室内熱交換器８が配置される。上記前側熱交換器部８Ａは、前面パネル２と間隙を存してほぼ平行な湾曲状に形成されて前面吸込み口４と上面吸込み口５と対向する。後側熱交換器部８Ｂは、直状に形成されて上面吸込み口５と斜めに傾斜して対向している。
【００１０】
上記室内熱交換器８の前後側熱交換器部８Ａ，８Ｂ相互間に室内送風機１０が配置される。上記室内送風機１０は、室内機本体１の一側端のスペースに配置されたファンモータと、このファンモータの回転軸に一方の支軸が機械的に連結される横流ファンとから構成される。上記横流ファンの軸方向長さは上記熱交換器８の幅方向寸法と同一であり、横流ファンは熱交換器８と正しく対向して配置される。  
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、それぞれの熱交換器部８Ａ，８Ｂから滴下するドレン水を受け、図示しない排水ホースを介して外部に排水できるようになっている。
【００１１】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。隔壁部材１４で囲まれる空間が、ノーズと吹出し口９とを連通する吹出し通風路１５となっている。  
一方、上記前面パネル２と室内熱交換器８の前面側から上面側との間に亘って枠体組立１６が介在され、この枠体組立は取付け具を介して前面パネル２に取付けられる。枠体組立１６の前面部と上面部には複数に分割されたエアフィルタがそれぞれ配置される。  
すなわち、前面部には、左右に二分割された前部エアフィルタ１７が移動自在に取付けられ、この前部エアフィルタ１７の内側には二次エアフィルタであるところの空気清浄ユニット１８が着脱自在に取付けられる。上記枠体組立１６の上面には左右に二分割された上部エアフィルタ２０が移動自在に取付けられる。
【００１２】
上記枠体組立１６は、前部エアフィルタ１７の前面側に、上面側から移動してきた上部エアフィルタ２０を収容するスペースを備え、上部エアフィルタ２０の上面側に、前面側から移動してきた前部エアフィルタ１７を収容するスペースを備えている。さらに、枠体組立１６の前部エアフィルタ１７の上端と上部エアフィルタ２０の前端との間に、エアフィルタ清掃ユニットＳが取付けられる。  
すなわち、前部エアフィルタ１７と空気清浄ユニット１８は、前面吸込み口４と前側熱交換器部８Ａとの間に介在される。上部エアフィルタ２０は、上面吸込み口５と前側熱交換器部８Ａ一部および後側熱交換器部８Ｂとの間に介在される。したがって、エアフィルタ清掃ユニットＳは前面吸込み口４と上面吸込み口５との間に対向して設けられる。
【００１３】
上記エアフィルタ清掃ユニットＳは、前面吸込み口４と上面吸込み口５の幅方向長さである、前部エアフィルタ１７および上部エアフィルタ２０の幅方向長さと同一の幅方向長さに形成される。エアフィルタ清掃ユニットＳの配置位置は、前面パネル２における前面部と上面部とが交差する、いわゆる角部内となり、前面パネル２と室内熱交換器８との間に必然的に形成されるデッドスペースである。  
上記枠体組立１６の一側部には電気部品箱が取付けられ、この電気部品箱内部に図１で概略的に示す制御部（制御手段）Ｎが収容される。
【００１４】
この制御部（制御手段）Ｎは、リモコン（遠隔操作盤）あるいは室内機本体１に設けられた各種スイッチおよびセンサからの信号を受け、その信号に応じて、室外機の圧縮機、室外送風機、室内送風機１０などの運転を制御する手段、可動パネル２Ａの開閉や、吹出し口６から吹出される送風方向を調整するための吹出しルーバー７ａ，７ｂの制御手段、後述するエアフィルタ清掃ユニットＳの運転制御手段、運転状態を表示する表示制御手段などを備えている。  
上記枠体組立１６の他側部には、吸排気装置（いわゆる、「換気ユニット」である）１１が設けられる。これら制御部Ｎおよび吸排気装置１１については後述する。
【００１５】
図２は、エアフィルタ清掃ユニットＳと近傍部位の縦断面図である。  
上記エアフィルタ清掃ユニットＳは、後述するように前部エアフィルタ１７および上部エアフィルタ２０に付着する塵埃を除去する回転ブラシ３０と、この回転ブラシ３０を内部に収容するとともに、回転ブラシ３０が除去した塵埃を収集する塵埃受け通路３１を備えたダストボックス３２および、上記ダストボックス３２下面の開口部３３を開閉自在に閉塞するシール部材３４とから構成される。  
上記ダストボックス３２における開口部３３から回転ブラシ３０の一部が露出するが、この開口部３３以外は全て密閉構造をなす。上記回転ブラシ３０は通過してくる前部エアフィルタ１７と上部エアフィルタ２０のメッシュ部面と確実に接触するように組立てられる。上記塵埃受け通路３１は、回転ブラシ３０の側部に、かつ回転ブラシ３０の軸方向に沿って設けられ、回転ブラシ３０の軸心よりも下側に通路面が形成されるので、塵埃を確実に受けられる。
【００１６】
上記シール部材３４は、たとえば合成ゴムなどの柔軟な弾性材から形成され、リフト機構４５に支持される。通常は、開口部３３から露出する回転ブラシ３０部分に接触しない位置にあり、リフト機構４５が作動しシール部材３４を上昇駆動することで開口部３３を閉塞できる。  
ダストボックス３２内部で、上記塵埃受け通路３１と回転ブラシ３０の収容部位との間には掻き落し用突部３５が突設される。この掻き落し用突部３５は常時、回転ブラシ３０の毛先内に、回転ブラシ３０の軸方向に亘って挿入し、回転ブラシ３０の回転にともなって毛先が摺接する位置にある。
【００１７】
上記ダストボックス３２は、帯電防止樹脂材を用いて成形され、しかも抗菌処理が施されている。そのため、塵埃の付着やカビの発生を防止して、長期に亘って清潔な状態を維持できる。同様に、回転ブラシ３０についても抗菌処理したものを使用して、塵埃の付着やカビの発生を防止し、長期に亘って清潔な状態を維持できる。  
さらに、ダストボックス３２内部において塵埃の移動がスムーズとなるよう、塵埃接触部分に対して滑らかな表面処理を施している。特に塵埃受け通路３１においては、断面積を全域に亘り推力直径が１２ｍｍ以上になるように設計され、エアフィルタ清掃運転における圧損を小さく抑え、風の流れがスムーズである。また、塵埃受け通路３１内の稜線は風上側にＲ２ｍｍ以上の曲面を形成することで、塵埃が引っ掛って移動しない等の不具合の発生を確実に防止する。
【００１８】
図３は、前面パネル２を取外して、エアフィルタ清掃ユニットＳと近傍部位を露出した一側部（正面視で右側部）斜視図である。  
上記ダストボックス３２の左右両側部には、把手部３８が一体に設けられている。ダストボックス３２を枠体組立１６の所定部位に取付け、もしくはここから取外しする際は、上記把手部３８を持って作業すると容易である。ダストボックス３２の一側部で、上面には矩形状の空気導入孔３９が設けられている。この空気導入孔３９は、上記塵埃受け通路３１と対向して設けられ、互いに連通する。  
上記枠体組立１６の一側部で、上記エアフィルタ清掃ユニットＳと対向する部位には、上記エアフィルタ清掃ユニットＳを駆動する駆動源および駆動機構と、後述するエアフィルタ移動機構５５を駆動する駆動源および駆動機構を備えた駆動部２５が取付けられる。
【００１９】
上記駆動部２５は、４個の駆動源である第１〜第４の駆動モータ４６〜４９と、これら駆動モータ４６〜４９を側面部に取付け、内部に後述するギヤ列を収容するケーシング５１を備えたギヤ組立Ｇとから構成される。  
上記第１の駆動モータ４６および第２の駆動モータ４７は、ギヤ組立Ｇのギヤ列を作動し、前部エアフィルタ１７を前面側の支持位置から移動してエアフィルタ清掃ユニットＳを通過させ、上部エアフィルタ２０の上面側までを往復移動させる前部移動機構５２および上部エアフィルタ２０を上面側の支持位置から移動してエアフィルタ清掃ユニットＳを通過し、前部エアフィルタ１７の前面側までを往復移動させる上部移動機構５３の駆動源である。
【００２０】
これら前部移動機構５２と上部移動機構５３とで上記フィルタ移動機構５５が構成される。なお、前部移動機構５２と上部移動機構５３については、図１および図２に符号を付し、追って詳細に説明する。  
これら前部、上部移動機構５２，５３を駆動するのに必要なトルクを確保するには、本来、大型の駆動モータを１個用意すれば足りるが、大径寸法であるので電気部品箱および前面パネル２と干渉してしまう。そこで、必要トルクの半分のトルクを備えた２個の小型駆動モータ４６，４７を用意し、取付けスペース上の不具合を解消している。
【００２１】
上記第３の駆動モータ４８は、上記回転ブラシ３０の回転駆動源である。第４の駆動モータ４９は、第１、第２の駆動モータ４６，４７の駆動力をギヤ組立Ｇのギヤ列を介して前部移動機構５２もしくは上部移動機構５３のいずれかに選択して伝達し、もしくは上記リフト機構４５を作動するよう切換える切換え機構６１の駆動源である。  
図４は上記ギヤ組立Ｇを構成するギヤ列の斜視図、図５は図４のケーシング５１の側面部を省略してギヤ列の一部を示すとともに、上記シール部材３４を支持するリフト機構４５の一部斜視図である。  
上記ケーシング５１の右側隅部に所定間隔を存して、互いに同一ギヤ径の一対のギヤＥが支持される。これらギヤＥの軸部には先に説明した第１の駆動モータ４６と第２の駆動モータ４７の回転軸がケーシング５１を介して挿入され、各駆動モータ４６，４７に上記ギヤＥが嵌着固定される。
【００２２】
各ギヤＥは、互いに図示しないギヤに噛合され、このギヤの裏面にギヤＢが一体に設けられる。上記ギヤＢは、隣接する大径のギヤＡに噛合し、このギヤＡと同軸に小径の上部用ギヤＦｕが設けられる。なお説明すると、ギヤＡと上部用ギヤＦｕは同軸に設けられているけれども、ギヤＡと上部用ギヤＦｕは互いに自由に回転自在となっている。  
また、上記ケーシング５１には、上記ギヤＡと噛合するギヤＣが支持される。このギヤＣにはギヤＤが常に噛合していて、ギヤＤは切換え機構６１を構成する駆動アーム６４の先端に支持される。さらに、上記ギヤＣを中心にして、上部用ギヤＦｕと対称の位置に前部用ギヤＦｆが支持される。この前部用ギヤＦｆは前部移動機構５２を構成する支軸の端部に嵌着される。
【００２３】
一方、ここでは図示しない上記第４の駆動モータ４９の回転軸はケーシング５１を介して内部に突出し、この回転軸に駆動レバー６５の基端部が嵌着固定される。上記駆動レバー６５は基端部から軸方向とは直交する方向に一体に延設される舌片部６５ａを備えていて、この舌片部６５ａの先端に上記駆動アーム６４の基端部が回動自在に連結される。  
これら第４の駆動モータ４９、駆動レバー６５、駆動アーム６４、ギヤＤで、上記切換え機構６１が構成される。すなわち、上記第４の駆動モータ４９の回転方向に応じて駆動レバー６５と駆動アーム６４が一体になって回動し、駆動アーム６４先端のギヤＤの位置が変動するよう構成される。
【００２４】
さらに、上記切換え機構６１を構成する駆動アーム６４の先端部とギヤＤは、ギヤアーム６６の下端部にピンを介して回動自在に支持される。上記ギヤアーム６６は上端部が支軸部ｐを介してケーシング５１に支持され、この支軸部ｐには上記ギヤＣも支持されている。  
上記ギヤアーム６６はギヤＣとともに上記支軸部ｐ回りに回動自在であり、このギヤアーム６６の下端部に上記ギヤＤおよび駆動アーム６４の先端部が回動自在に連結される。そのため、上記ギヤＤはギヤアーム６６の回動姿勢に係らず常にギヤＣに噛合することとなる。
【００２５】
第４の駆動モータ４９が駆動レバー６５を介して駆動アーム６４を回動した状態で、駆動アーム６４に連結されるギヤＤはギヤＣとの噛合状態を維持しつつ、ギヤＤは上部用ギヤＦｕもしくは前部用ギヤＦｆのいずれかに噛合可能であり、もしくはいずれのギヤＦｕ，Ｆｆにも噛合しない位置を選択できるようになっている。  
図４のみ示すように、上記ケーシング５１の隅部にはマイクロスイッチ６７が取付けられている。上記駆動アーム６４は、回動変位した位置によっては上記マイクロスイッチ６７の作動子６７ａに接触してオン状態となし、検知信号は図１に示す制御部（制御手段）Ｎに送られるようになっている。
【００２６】
すなわち、駆動アーム６４がマイクロスイッチ６７をオン状態となすのは、駆動アーム６４に支持されるギヤＤが上部用ギヤＦｕもしくは前部用ギヤＦｆのいずれにも噛合しない位置にある。換言すれば，マイクロスイッチ６７がオフ状態にあれば、ギヤＤが上部用ギヤＦｕもしくは前部用ギヤＦｆのいずれかに噛合する位置にある。  
上記切換え機構６１を構成するギヤアーム６６はまた、上記シール部材３４を支持するリフト機構４５も兼用する。図５のみに示すように、ギヤアーム６６の下端部は支軸部ｐを中心として所定の曲率半径を形成していて、この内面側には内歯部６８が設けられている。上記内歯部６８にはリフト用ギヤ６９が噛合し、このリフト用ギヤ６９はケーシング５１側面を貫通して設けられるシール用支軸７０の端部に嵌着固定される。
【００２７】
上記シール用支軸７０は、上記枠体組立１６に取付けられる軸受具に支持され、上記シール部材３４の下面側に、かつシール部材３４の長手方向に沿って対向して設けられている。したがって、上記切換え機構６１を構成する第４の駆動モータ４９が駆動して、駆動レバー６５と駆動アーム６４を介してギヤアーム６６を回動すれば、上記リフト用ギヤ６９もまた回転することとなる。  
上記シール用支軸７０の所定部位にはシール駆動用カム７１が設けられている。このシール駆動用カム７１は全体的に円筒状をなし、周面一部に径方向に突出する半円板状のカム部ｑを備えている。
【００２８】
一方、上記シール部材３４はシールベース７３に取付けられていて、上記シールベース７３はいわゆるパンタグラフ構造をなすシールガイド機構７４に支持される。上記シールガイド機構７４は枠体組立１６に設けられ、リフト力のかからない通常の姿勢では平坦状に折り畳まれ、上方へのリフト力がかかった状態で立ち上り変形してシールベース７３とともにシール部材３４を上方へ押上げる作用をなす。  
このようなシールガイド機構７４の一部に、上記シール駆動用カム７１が接離自在となるよう構成されている。シール駆動用カム７１がシールガイド機構７４の一部に接触した状態で、シールガイド機構７４は立ち上り動作をなしてシール部材３４は押上げられ、シール駆動用カム７１がシールガイド機構７４から離間すると、シールガイド機構７４は自然的に平坦状に折り畳まれシール部材３４は下降する。
【００２９】
これらギヤアーム６６、リフト用ギヤ６９、シール駆動用カム７１、シールガイド機構７４で、シール部材３４に対する上記リフト機構４５が構成される。  
つぎに、上記前部移動機構５２および上部移動機構５３について説明する。  
再び図２に示すように、上記ダストボックス３２の開口部３３を開閉するシール部材３４の両側部に沿って一対の支軸７５ａ，７５ｂが並行して設けられる。それぞれの支軸７５ａ，７５ｂの一端部（右側端部）には、上記ギヤ組立Ｇを構成する前部用ギヤＦｆもしくは上部用ギヤＦｕが嵌着固定される。実際には、支軸７５ａに前部用ギヤＦｆが取付けられ、支軸７５ｂに上部用ギヤＦｕが取付けられる。
【００３０】
上記各支軸７５ａ，７５ｂの他端部（左側端部）は、軸受具を介して枠体組立１６に回転自在に支持される。また、支軸７５ａ，７５ｂの中間部で、かつ前、上部エアフィルタ１７，２０の中央補強桟と対向する部位には、前部エアフィルタ駆動ギヤ７６もしくは上部エアフィルタ駆動ギヤ７７が嵌着固定される。これら前、上部エアフィルタ駆動ギヤ７６，７７の一部は、上記枠体組立１６に設けられる開口部から前面側もしくは上面側へ突出する。  
その一方で、上記前、上部エアフィルタ１７，２０の中央補強桟裏面には長手方向に沿って、いわゆるラック（平歯車）７８が設けられている。それぞれのラック７８には、枠体組立１６から突出する前、上部エアフィルタ駆動ギヤ７６，７７が、いわゆるピニオンとして噛合する。
【００３１】
上記前部用ギヤＦｆが回転すれば、支軸７５ａに設けられる前部エアフィルタ駆動ギヤ７６が回転し、ピニオンとラックの関係から前部エアフィルタ１７が前部エアフィルタ駆動ギヤ７６の回転方向に移動付勢される。また、上部用ギヤＦｕが回転すれば、支軸７５ｂに設けられる上部エアフィルタ駆動ギヤ７７が回転し、ピニオンとラックの関係から上部エアフィルタ２０が上部エアフィルタ駆動ギヤ７７の回転方向に移動付勢される。  
このようにして、前部エアフィルタ駆動ギヤ７６と前部エアフィルタ１７に設けられるラック７８とで、前部エアフィルタ１７を移動する前部移動機構５２が構成される。そして、上部エアフィルタ駆動ギヤ７７と上部エアフィルタ２０に設けられるラック７８とで、上部エアフィルタ２０を移動する上部移動機構５３が構成される。
【００３２】
図６は、前面パネル２を取外してエアフィルタ清掃ユニットＳと近傍部位を露出した一側部（正面視で左側部）斜視図である。  
上記ダストボックス３２の他側部には、塵埃排出カバーが一体に取付けられる。この塵埃排出カバーは、上記塵埃受け通路３１を介して上記空気導入孔３９と連通する。エアフィルタ清掃ユニットＳを枠体組立１６に取付けた状態で、塵埃排出カバーは枠体組立１６に設けられる排出ボックス４１内に収容される。  
上記排出ボックス４１は、接続ホース４２を介して吸排気装置１１と連通する。したがって、ダストボックス３２内に形成される塵埃受け通路３１の一端部は空気導入孔３９を介してダストボックス３２外部であるエアフィルタ清掃ユニットＳ外部と連通し、塵埃受け通路３１の他端部は塵埃排出カバーと排出ボックス４１および接続ホース４２を介して吸排気装置１１と連通することになる。
【００３３】
上記接続ホース４２は緩やかな曲線をなすよう曲成されて、上記吸排気装置１１に接続される。すなわち、接続ホース４２内には前、上部エアフィルタ１７，２０から除去した塵埃が流通するので、途中で詰まらないように配慮される。吸排気装置１１を構成するファンケーシング９０には塵埃案内用ケース９５が取付けられている。  
上記接続ホース４２を介して、エアフィルタ清掃ユニットＳと吸排気装置１１のファンケーシング９０内部とが連通する。上記塵埃案内用ケース９５内には風力ダンパが設けられていて、塵埃はこの風力ダンパを介して吸排気装置１１のファンケーシング９０に導入される。
【００３４】
接続ホース４２に所定圧以上の風圧が加わると、風力ダンパは風圧で上方に押され、ファンケーシング９０内部を開放するようになっている。また、風圧が所定圧以下になれば、風力ダンパは再びファンケーシング９０内部を閉成することとなる。  
上記吸排気装置１１は、ファンケーシング９０の側面中心部に開口する換気吸込み口に設けられた開閉ダンパと、この開閉ダンパを駆動する機構およびファンケーシング９０内に配置される換気ファンなどの送風機構から構成される。上記ファンケーシング９０には排気口９０ａが設けられていて、この排気口９０ａに接続される排気ホースＨは室内機本体１の取付け壁を介して屋外へ延出される。
【００３５】
上記吸排気装置１１は、本来、室内空気を室内機本体１内に取入れたあと、室内熱交換器８の一次側もしくは二次側の空気を外部へ排出する換気機能を備えてなるが、ここでは併せて、後述するように前部エアフィルタ１７と上部エアフィルタ２０からエアフィルタ清掃ユニットＳが収集した塵埃を吸気し、かつ屋外へ排出する吸排気機能を備えている。  
再び図１に示す制御部Ｎは、上述した可動パネル２Ａ、吹出しルーバー７ａ，７ｂ、室内送風機１０、吸排気装置１１の換気ファンの駆動源と、空気清浄ユニット１８、エアフィルタ清掃ユニットＳおよびエアフィルタ移動機構５５の駆動部２５と、室外機と電気的に接続されていて、リモコンからの指示信号にもとづいて必要な制御をなす。
【００３６】
つぎに、空気調和機の作用について説明する。  
使用者がリモコンの運転ボタンを押圧操作すると、制御部Ｎは室内送風機１０を駆動し、空気清浄ユニット１８を作用させる。さらに、室外機における圧縮機を駆動して冷凍サイクル運転を開始し、室内送風機１０を回転駆動するとともに、吹出しルーバー７ａ，７ｂを所定の方向に回動変位させる。  
室内空気は前面吸込み口４および上面吸込み口５から室内機本体１内に導かれ、前部エアフィルタ１７および上部エアフィルタ２０を通過する。このとき、室内空気中に含まれる塵埃が前部エアフィルタ１７および上部エアフィルタ２０に捕捉される。前部エアフィルタ１７で塵埃が除去された室内空気は、空気清浄ユニット１８を構成する一対の電気集塵機を通過して、より微細な塵埃が電気的に集塵され、かつ脱臭される。
【００３７】
清浄化した室内空気は熱交換器８を流通し、ここに導かれる冷媒と熱交換作用が行われる。そのあと、熱交換空気は吹出し通風路１５に沿って導かれ、吹出し口６から吹出しルーバー７ａ，７ｂに案内されて室内へ吹出され、効率のよい空調運転を継続する。  
上記制御部Ｎは、たとえば以上の空調運転が終了した段階で、前部エアフィルタ１７と上部エアフィルタ２０に捕捉され付着している塵埃を自動的に除去する清掃運転をなすよう設定されている。
【００３８】
すなわち、制御部Ｎに設定されている各エアフィルタ１７，２０に対する清掃運転モードとして基本的には、上部エアフィルタ２０および前部エアフィルタ１７を所定位置に正しく位置修正するエアフィルタ初期化モードと、上記エアフィルタ清掃ユニットＳが正しく機能するか否かをチェックするチェックモードと、上部エアフィルタ２０と前部エアフィルタ１７をエアフィルタ清掃ユニットＳへ導き、各エアフィルタ２０，１７に付着している塵埃を除去するエアフィルタ清掃モードと、上記吸排気装置１１を作動してエアフィルタ清掃ユニットＳに収集された塵埃を屋外へ排出する塵埃排出モードの順に実行するようになっている。
【００３９】
はじめに、上記エアフィルタ初期化モードについて詳述する。  
図７（Ａ）および（Ｂ）は、エアフィルタ初期化モードを順に説明する図であり、同図において各エアフィルタ２０，１７と上記エアフィルタ清掃ユニットＳについては模式的に示している。なお、このエアフィルタ初期化モードを実行するエアフィルタ清掃ユニットＳの詳細な作用説明は、次工程であるチェックモード以下の説明において併せて行うこととする。  
上記エアフィルタ初期化モードは、先に図７（Ａ）のａ．〜ｃ．に示すように上部エアフィルタ２０に対する初期化モードを実行し、つぎに図７（Ｂ）ａ．〜ｃ．に示すように前部エアフィルタ１７に対する初期化モードを実行する。  
すなわち、図７（Ａ）のａ．に示すように、上部エアフィルタ２０を移動して、この前端をエアフィルタ清掃ユニットＳに挿入させる。具体的には、リフト機構４５を作動しシール部材３４を下降移動して開口部３３を開口し、上部移動機構５３を駆動して上部エアフィルタ２０を所定位置から前面側のエアフィルタ清掃ユニットＳ方向へ移動付勢する。
【００４０】
エアフィルタ清掃ユニットＳ内部では、上部エアフィルタ２０の前端が上記ダストボックス３２内に備えられるフィルタ検出用マイクロスイッチに接触する。制御部Ｎは、上部エアフィルタ２０のマイクロスイッチに対する接触時間が所定時間（２秒間）以上ＯＮ状態を継続したか否かを判断する。  
上記制御部Ｎは、上部エアフィルタ２０が上記マイクロスイッチを所定時間以上ＯＮ状態を継続していると判断すれば、上部移動機構５３を逆方向に駆動して、図７（Ａ）のｂ．に示すように、上部エアフィルタ２０を所定位置まで戻す。上部エアフィルタ２０が所定位置に戻ったら、図７（Ａ）のｃ．に示すように、リフト機構４５を作動しシール部材３４を上昇移動させて開口部３３を閉成する。したがって、制御部Ｎは上部エアフィルタ２０が所定位置にあると判断する。
【００４１】
つぎに、図７（Ｂ）に示すように前部エアフィルタ１７に対する初期化モードを実行する。  
前部エアフィルタ初期化モードは、図７（Ｂ）のａ．に示すように、図７（Ａ）のｃ．に示すシール部材３４が上昇移動した開口部３３を閉成する状態から、リフト機構４５を作動しシール部材３４が下降移動して開口部３３を開口し、前部移動機構５２を駆動して前部エアフィルタ１７を移動付勢し、この上端をエアフィルタ清掃ユニットＳに挿入させる。
【００４２】
前部エアフィルタ１７の上端がエアフィルタ清掃ユニットＳ内に挿入し、ここに備えられるフィルタ検出用マイクロスイッチに接触し、その接触時間が所定時間（２秒間）ＯＮ状態を継続したか否かを判断する。上記フィルタ検出用マイクロスイッチが所定時間継続してＯＮであれば、前部移動機構５２を逆方向に駆動して、図７（Ｂ）のｂ．に示すように、前部エアフィルタ１７を所定位置まで戻す。  
前部エアフィルタ１７が所定位置に戻ったら、図７（Ｂ）のｃ．に示すように、リフト機構４５を作動しシール部材３４を上昇移動させて開口部３３を閉成する。したがって、制御部Ｎは前部エアフィルタ１７が所定位置にあると判断する。  
以上で、エアフィルタ初期化モードが終了し、このあとチェックモードが実行され、エアフィルタ清掃モードを経て塵埃排出モードをなす。
【００４３】
上記エアフィルタ清掃モードは、上部エアフィルタ２０に付着する塵埃を除去する上部エアフィルタ清掃モードと、上部エアフィルタ２０が所定位置に戻っているか否かを判断する上部エアフィルタ２０の位置確認モードと、前部エアフィルタ１７に付着する塵埃を除去する前部エアフィルタ清掃モードと、前部エアフィルタ１７が所定位置に戻っているか否かを判断する前部エアフィルタ１７の位置確認モードからなり、上記の順に実行される。
【００４４】
図９（Ａ）（Ｂ）はエアフィルタ清掃モードを順に説明する模式的な図であり、図９（Ｃ）は塵埃排出モードを順に説明する模式的な図である。  
図１０ないし図１２はチェックモードと、エアフィルタ清掃モードおよび塵埃排出モードの概略的なフローチャート図である。（なお、図１０ないし図１２においては、各エアフィルタを単に、「フィルタ」として記載している）  
さらに、以下の説明においては、上述した図１〜図６の各構成部品の作用説明とともに、図８（Ａ）から（Ｃ）で示すギヤ組立Ｇの作用説明も併せて行うこととする。  
はじめに上記チェックモードを、図１０のフローチャートから説明する。具体的には、エアフィルタ清掃ユニットＳを構成するシール部材３４と、ダストボックス３２に設けられる開口部３３との関係がチェックされる。
【００４５】
スタートからステップＴ１で、停止ボタンが押され空調運転を停止しているうえに、前回のエアフィルタ掃除から所定時間が経過しているか、もしくはリモコンの手動クリーニングボタンが押圧操作され信号が制御部Ｎに送られることで、エアフィルタの掃除動作が開始される。  
ステップＴ２で、吸排気装置１１に備えられる開閉ダンパを駆動して吸気口を閉じ、塵埃排出モードとする。すなわち、制御部Ｎは吸排気装置１１に対して開閉ダンパの全閉モードを指示する。
【００４６】
ステップＴ３で、切換え機構６１を前部エアフィルタ１７側へ動かす。具体的には、前回のエアフィルタ掃除モードで切換え機構６１は上部エアフィルタ２０側に切換っていて、図８（Ｂ）に示すようにギヤＤが上部用ギヤＦｕに噛合して終了している。  
上記制御部Ｎは、第４の駆動モータ４９に駆動信号を送って駆動レバー６５を介して駆動アーム６４を回動変位させる。駆動アーム６４に設けられるギヤＤは上部用ギヤＦｕとの噛合位置から、図８（Ｃ）に示すようにギヤＤがギヤＣのみに噛合する位置に変り、さらに図８（Ａ）に示すようにギヤＤが前部用ギヤＦｆに噛合する位置に変って停止する。
【００４７】
このような駆動アーム６４の作動にともない、駆動アーム６４の一部は上記マイクロスイッチ６７の作動子６７ａと接触し、もしくは離間する。はじめの図８（Ｂ）の状態では駆動アーム６４はマイクロスイッチ６７の作動子６７ａと離間してＯＦＦ。次の図８（Ｃ）の状態では駆動アーム６４は作動子６７ａに接触してＯＮ。つぎの図８（Ａ）の状態では駆動アーム６４は作動子６７ａに接触してＯＦＦとなる。  
ステップＴ４で、マイクロスイッチ６７の入力がＯＦＦ−ＯＮ−ＯＦＦの順に繰り返えされたか否かが判断される。Ｙｅｓである場合は、ステップＴ５に移って正常と判断される。すなわち、正常であれば図２に示すように、ダストボックス３２内に前部エアフィルタ１７と上部エアフィルタ２０が存在せず開口部３３は開放されていることになる。
【００４８】
ステップＴ４でＮｏである場合は、ダストボックス３２の開口部３３内に前部エアフィルタ１７もしくは上部エアフィルタ２０の一部が存在して、駆動アーム６４がマイクロスイッチ作動子６７ａに接触できない。この場合は、ステップＴ６に移って異常を表示する。  
このようにして、実質的なエアフィルタ清掃モードを実施する以前に、前部エアフィルタ１７が枠体組立１６の前面側エアフィルタ収納部１６ｂに正しくセットされているか否かと、上部エアフィルタ２０が上面側エアフィルタ収納部１６ｃに正しくセットされているか否かをチェックする。
【００４９】
以上でチェックモードが終了し、つぎに上部エアフィルタ２０掃除モードに移る。  
ステップＴ７において、切換え機構６１を上部エアフィルタ２０側へ動かす。すなわち図８（Ｂ）に示すように、ギヤＤを上部用ギヤＦｕに噛合させる。ステップＴ８に移って、切換え機構６１を上部エアフィルタ２０側へ付勢し続ける。ステップＴ９において、フィルタ駆動モータ４６，４７を駆動する。  
したがって、上部移動機構５３が作動して上部エアフィルタ２０を前部エアフィルタ１７の前面側へ移動付勢する。具体的には、第１、第２の駆動モータ４６，４７の駆動により一対のギヤＥが互いに同方向に回転駆動される。これらギヤＥを介してギヤＢが回転し、このギヤＢに噛合するギヤＡからギヤＣに回転力が伝達される。そして、ギヤＣからギヤＤを介して上部用ギヤＦｕに回転力が伝達され、この上部用ギヤＦｕを支持する支軸７５ｂが回転する。
【００５０】
上記支軸７５ｂには上部エアフィルタ駆動ギヤ７７が設けられ、しかも上部エアフィルタ２０が上面側から押え付けられて中央補強桟のラックと噛合している。上部エアフィルタ駆動ギヤ７７が回転すれば、上部エアフィルタ２０は確実に移動を開始し、徐々に上面側のエアフィルタ収納部１６ｃから出て下降移動する。  
このとき、リフト機構４５を構成するシール駆動用カム７１がシールガイド機構７４から離間していて、シールガイド機構７４は平坦状に折り畳まれ、シール部材３４は下降位置にあり開口部３３は開放されている。したがって、上部エアフィルタ２０はダストボックス３２下端とシール部材３４との間に形成される隙間を挿通する。
【００５１】
ステップＴ１０に移って、上部エアフィルタ２０の移動開始後に回転ブラシ３０を駆動する。すなわち、上部エアフィルタ２０の移動と時間差をおいて回転ブラシ３０が回転駆動されるよう設定されている。そのため、回転ブラシ３０の毛先は上部エアフィルタ２０のメッシュ部のみに接触し、枠体部に接触せずにすむ。  
図９（Ａ）のａ．に示すように、上部エアフィルタ２０は前端から順次後端側に亘って回転ブラシ３０に対向し、かつ摺接しながら下降移動する。上部エアフィルタ２０に付着していた塵埃は、回転ブラシ３０によって円滑に、かつ確実に掻き落されて除去される。塵埃は上部エアフィルタ２０から回転ブラシ３０に転移する。  
この直後に回転ブラシ３０は掻き落し用突部３５に接触して通過する。掻き落し用突部３５が櫛歯状に形成されているので、回転ブラシ３０に転移した塵埃は掻き落されて塵埃受け通路３１に落下する。上記塵埃受け通路３１は、回転ブラシ３０と対向する部位が開口している以外は密閉構造となっているので、掻き落とされた塵埃が塵埃受け通路３１から周辺へ飛散することはない。
【００５２】
上部エアフィルタ２０は回転ブラシ３０によって塵埃を除去されつつ、枠体組立１６に設けられ前部エアフィルタ１７を収納する前面側のエアフィルタ収納部１６ｄに挿入される。すなわち、上部エアフィルタ２０は前部エアフィルタ１７の上部側に、互いに狭小の間隙を存して対向するよう案内される。  
ステップＴ１１に移って、上部エアフィルタ２０の移動が完了した時点で、掃除用アクチュエータを微少時間停止する。具体的には、上部エアフィルタ２０の後端が前面側のエアフィルタ収納部１６ｄの上端に挿入したところで、制御部Ｎは第１、第２の駆動モータ４６，４７および回転ブラシ３０の駆動を一旦停止するよう制御する。
【００５３】
ついで、ステップＴ１２に移って回転ブラシ３０を回転駆動し、ステップＴ１２でフィルタ駆動モータを逆転駆動して上部エアフィルタ２０を元の位置まで移動させる。すなわち、上記制御部Ｎは、第１、第２の駆動モータ４６，４７に対して逆方向に回転する駆動信号を送る。  
図９（Ａ）のｂ．に示すように、各ギヤは逆方向に回転して、上部移動機構５３は上部エアフィルタ２０を上昇移動させる。先の塵埃除去作用で全ての塵埃が上部エアフィルタ２０から除去されているが、条件によっては、なお上部エアフィルタ２０に塵埃が残留する場合がある。したがって、上部エアフィルタ２０を上昇移動する際にも回転ブラシ３０に摺接させるので、残留していた全ての塵埃は確実に除去される。
【００５４】
ステップＴ１４において、上部エアフィルタ２０の移動完了前に回転ブラシ３０の駆動を停止する。すなわち、上部エアフィルタ２０が復動移動して、前面側のエアフィルタ収納部１６ｂから上面側のエアフィルタ収納部１６ｃに戻るが、駆動モータ４６，４７の駆動停止の直前に回転ブラシ３０の回転を停止する。したがって、回転ブラシ３０は上部エアフィルタ２０のメッシュ部のみに接触し、効率よく塵埃の除去をなす。  
図９（Ａ）のｃ．に示すように、上部エアフィルタ２０が停止したところで、上部エアフィルタ２０に対する掃除の工程が終了する。つぎに、図１１に示す上部エアフィルタ２０の位置確認モードに移る。
【００５５】
ステップＴ１５で、切換え機構６１を前部エアフィルタ１７側へ動かす。先に説明したように、ギヤＤは上部用ギヤＦｕに噛合している状態から、ギヤＣに噛合する状態を経て前部用ギヤＦｆに噛合するよう変化する。このステップＴ１５においてマイクロスイッチ６７の入力がＯＦＦ−ＯＮ−ＯＦＦに変化したか否かをステップＴ１６で判断する。Ｙｅｓであれば正常であり、ダストボックス２３内に前部エアフィルタ１７と上部エアフィルタ２０が存在しないことになるのでステップＴ１７に移り、ＮｏであればステップＴ１８で異常の表示をなす。  
ステップＴ１７においては、前回のエアフィルタ掃除モードにおいて上部エアフィルタ２０と前部エアフィルタ１７の両方を対象として掃除をなしたか否かが判断される。すなわち、上述したように前部エアフィルタ１７と比較して上部エアフィルタ２０の汚れが大であるところから、先に上部エアフィルタ２０のみを掃除するモードを行い、つぎに上部エアフィルタ２０および前部エアフィルタ１７の両方を掃除するモードを行うよう制御部Ｎに設定される。
【００５６】
したがって、ステップＴ１７でＮｏと判断された場合は、先に上部エアフィルタ２０のみの清掃をなし、前部エアフィルタ１７に対する清掃を行われなかったこととなり、前部エアフィルタ掃除モードに移る。Ｙｅｓと判断された場合は、前回、上部エアフィルタ２０と前部エアフィルタ１７の両方を掃除したことであるので、前部エアフィルタ１７に対する掃除を省略して、後述する前部エアフィルタ１７の位置確認モードに移行する。  
はじめに、ステップＴ１７でＮｏと判断され、前部エアフィルタ１７掃除モードに移行した場合を説明する。  
ステップＴ１９において、切換え機構６１を前部エアフィルタ２０側へ駆動し続ける。ギヤＤは前部用ギヤＦｆに噛合する。ステップＴ２０において、フィルタ駆動モータ４６，４７を駆動し、前部エアフィルタ１７を上部エアフィルタ２０側へ移動する。このとき、シール部材３４は下降位置にありダストボックス３２の開口部３３は開放されているので、前部エアフィルタ１７はダストボックス３２下端とシール部材３４との間に形成される隙間を挿通する。
【００５７】
ステップＴ２１に移って、前部エアフィルタ１７の移動開始後に回転ブラシ３０を駆動する。前部エアフィルタ１７の移動と時間差をおいて回転ブラシ３０は回転するので、回転ブラシ３０の毛先は前部エアフィルタ１７のメッシュ部のみに接触し、効率よく塵埃の除去をなす。  
図９（Ｂ）のａ．に示すように、前部エアフィルタ１７は上端から順次下端側に亘って回転ブラシ３０に対向し、かつ摺接しながら上昇移動する。前部エアフィルタ１７に付着していた塵埃は、回転ブラシ３０によって円滑に、かつ確実に掻き落されて除去される。塵埃は前部エアフィルタ１７から回転ブラシ３０に転移するが、その直後に回転ブラシ３０は掻き落し用突部３５に接触するので、全ての塵埃は掻き落されて塵埃受け通路３１に落下する。
【００５８】
上部エアフィルタ２０は回転ブラシ３０によって塵埃を除去されつつ、上部エアフィルタ２０を収納する上面側のエアフィルタ収納部１６ｃに挿入される。すなわち、前部エアフィルタ１７は上部エアフィルタ２０の上部側に、互いに狭小の間隙を存して対向するよう案内される。  
ステップＴ２２に移って、前部エアフィルタ１７の移動が完了した時点で、掃除用アクチュエータを微少時間停止する。具体的には、前部エアフィルタ２０の下端が上面側のエアフィルタ収納部１６ｃの前端に挿入したところで、制御部Ｎは第１、第２の駆動モータ４６，４７および回転ブラシ３０の駆動を一旦停止するよう制御する。
【００５９】
ついで、ステップＴ２３に移って回転ブラシ３０を回転駆動し、ステップＴ２４でフィルタ駆動モータである第１、第２の駆動モータ４６，４５を逆転駆動して前部エアフィルタ１７を元の位置まで移動する。  
図９（Ｂ）のｂ．に示すように、各ギヤは逆方向に回転して、前部移動機構５２は前部エアフィルタ１７を下降移動させる。残留していた全ての塵埃は確実に除去される。ステップＴ２５において、前部エアフィルタ１７の移動完了前に回転ブラシ３０の駆動を停止する。したがって、回転ブラシ３０は前部エアフィルタ１７のメッシュ部のみに接触して効率よく塵埃を除去する。
【００６０】
図９（Ｂ）のｃ．に示すように、前部エアフィルタ１７がもとの収納位置に復帰したところで、前部エアフィルタ１７掃除モードが終了する。この状態でリフト機構４５が駆動され、シール部材３４を上昇駆動してダストボックス３２の開口部３３を閉成する。  
このようにして前部エアフィルタ１７掃除モードが終了し、つぎに図１２に示す前部エアフィルタ１７位置の確認モードに移る。  
ステップＴ２６に移って、切換え機構６１を上部エアフィルタ２０側へ動かす。ギヤＤは前部用ギヤＦｆに噛合している状態から、ギヤＣに噛合する状態を経て上部用ギヤＦｕに噛合するよう変化する。このステップＴ２６において再びマイクロスイッチ６７の入力がＯＦＦ−ＯＮ−ＯＦＦに変化したか否かをステップＴ２７で判断する。Ｙｅｓであれば正常であり、ダストボックス２３内に前部エアフィルタ１７と上部エアフィルタ２０が存在せず、開口部３３が完全開放していることになるのでステップＴ２８に移る。Ｎｏであれば、ステップＴ２９で異常の表示をなす。
【００６１】
上記ステップＴ２８では、シール部材３４を上昇させるための前工程として、切換え機構６１を前部エアフィルタ１７側へ動かす。したがって、ギヤＤは上部用ギヤＦｕに噛合している状態から、ギヤＣに噛合する状態を経て前部用ギヤＦｆに噛合するよう変化する。この動作は、上部エアフィルタ２０の掃除のみの工程と上部エアフィルタ２０および前部エアフィルタ１７両方の掃除の工程終了時において、切換え機構６１の位置を同じ状態にしておくために実施する動作である。  
つぎにステップＴ３０に移って、切換え機構６１を前部エアフィルタ１７側から上部エアフィルタ２０側の中間位置まで動かす。このことにより、シール部材３４の上昇を図る。なお説明すると、図８（Ｃ）に示すように駆動アーム６４一部がマイクロスイッチ６７の作動子６７ａに接触してＯＮとなったとき、制御部Ｎはその信号を受けて第４の駆動モータ４９を停止する。
【００６２】
上記駆動アーム６４に支持されるギヤＤは、上部用ギヤＦｕおよび下部用ギヤＦｆから離間して噛合関係となっておらず、上部用ギヤＦｕと前部用ギヤＦｆのちょうど中間部にあって、ギヤＣのみと噛合関係にある。そして、再び図５に示すように、駆動アーム６４に連結されるギヤアーム６６は略垂直姿勢となり、シール用支軸７０に設けられるシール駆動用カム７１のカム部ｑもまた略垂直方向に突出する。  
上記カム部ｑによってシールガイド機構７４は立ち上り動作し、シールベース７３に取付けられるシール部材３４は上昇付勢され上記ダストボックス３２の下面に密着する。したがって、ダストボックス３２の下面に設けられる上記開口部３３はシール部材３４によって完全に閉成される。
【００６３】
以上で前部エアフィルタ１７位置の確認モードが終了して、次の塵埃排出モードに移行する。ただし、先に説明した上部エアフィルタ２０位置の確認モードにおけるステップＴ１７でＹｅｓの判断をなした場合は、上記前部エアフィルタ１７位置の確認モードにおけるステップＴ３０に移行する。  
図９（Ｃ）のａ．に示すように、塵埃排出モードにおいては、ステップＴ３１で回転ブラシ３０を駆動する。つぎに、ステップＴ３２に移って吸排気装置１１の換気ファンへ駆動信号を送り、換気ファンを高速回転で所定時間（１０秒）運転する。  
したがって、吸排気装置１１の塵埃案内用ケース９５内部に負圧がかかり、ここに設けられる風力ダンパを開放させる。上記換気ファンの高速回転にともなう負圧は、塵埃案内用ケース９５から接続ホース４２と排出ボックス４１を介してエアフィルタ清掃ユニットＳに作用する。
【００６４】
負圧は排出ボックス４１によって覆われる塵埃排出カバー４０を介して塵埃受け通路３１に集中してかかり、この塵埃受け通路３１に収集されている塵埃が吸引される。なお、塵埃受け通路３１の一端部はダストボックス３２端部に設けられる空気導入孔３９に連通しているので、ダストボックス３２周辺の空気が空気導入孔３９から塵埃受け通路３１へ強制的に吸引される。そのため、塵埃受け通路３１に収集される塵埃は吸引された空気によっても掻き出され、ダストボックス３２から出て接続ホース４２に導かれる。
【００６５】
さらに加えて、ダストボックス３２自体の素材選択と表面処理をなすとともに、塵埃受け通路３１の構成の全てを塵埃が通過し易い条件を整えたので、塵埃は塵埃受け通路３１に滞ることなく、速やかに、かつ確実に排出されて接続ホース４２から吸排気装置１１に吸引される。吸排気装置１１において塵埃は、塵埃案内用ケース９５からファンケーシング９０の内周面に沿って移動し排気口９０ａから屋外へ排出される。  
つぎに、ステップＴ３３に移って、換気ファンを中速回転で所定時間運転する。少なくとも、高速運転の運転時間(１０秒)より長い所定時間（５０秒）運転を行うことで、ダストボックス３２内に残った埃を確実に排出させることができる。  
先のステップで換気ファンを高速運転したので、塵埃受け通路３１に収集されている塵埃は効率よく移動していおり、換気ファンの速度を低下しても塵埃の移動は変化せず、消費電力の低減化並びに運転音の低減を図れる。
【００６６】
ステップＴ３４に移って、吸排気装置１１に備えられる開閉ダンパを切換えて通常の換気モード位置へ戻し、換気ファンを停止する。なお、換気ファンの停止直前（５秒前）には回転ブラシ３０の回転を停止する。ステップＴ３５に移って切換え機構６１を上部エアフィルタ２０側へ動かす。  
図９（Ｃ）のｂ．に示すように、そのあとリフト機構４５を駆動してシール部材３４を上昇させ開口部３３を閉成し終了に至る。  
このようにして、上記制御部Ｎは上部エアフィルタ２０と前部エアフィルタ１７を所定位置に位置修正するエアフィルタ初期化モードと、エアフィルタ清掃ユニットＳが正しく機能するか否かをチェックするチェックモードと、各エアフィルタ２０，１７をエアフィルタ清掃ユニットＳへ導きエアフィルタに付着している塵埃を除去するエアフィルタ清掃モードと、吸排気装置１１を作動してエアフィルタ清掃ユニットＳに収集された塵埃を屋外へ排出する塵埃排出モードとを備えている。
【００６７】
なお説明すると、上記制御部Ｎは、エアフィルタ清掃運転の開始信号を入力した段階で、上部エアフィルタ２０および前部エアフィルタ１７を所定位置に位置修正するエアフィルタ初期化モード、シール部材３４が開口部３３を正しく開閉するか否かをチェックするチェックモード、上部エアフィルタ２０と前部エアフィルタ１７を交互にエアフィルタ清掃ユニットに導き各エアフィルタ２０，１７に付着している塵埃を除去するエアフィルタ清掃モード、吸排気装置１１を作動してエアフィルタ清掃ユニットＳに収集された塵埃を屋外へ排出する塵埃排出モードを備えている。  
したがって、上部エアフィルタ２０と前部エアフィルタ１７に付着している塵埃をエアフィルタ清掃ユニットＳにおいて確実に除去し、その全ての塵埃を吸排気装置１１が円滑に屋外へ排出して、室内機本体１を大型化することなく自動的に各エアフィルタ２０，１７から塵埃を除去し、掃除手間の軽減化をなし、掃除時間の短縮化を得られる。
【００６８】
なお、上記チェックモードは、上記シール部材３４を昇降駆動して開口部３３に対するシール部材３４の開閉動作を判定し、正常判定のあと、上部エアフィルタ２０と前部エアフィルタ１７をエアフィルタ清掃ユニットＳから離反する所定位置に移動させるようにした。したがって、エアフィルタ清掃モードの円滑な実行を図れる。  
上記エアフィルタ清掃モードは、上部エアフィルタ２０と前部エアフィルタ１７をエアフィルタ清掃ユニットＳへ送り込む直前に回転ブラシ３０を回転駆動し、エアフィルタ清掃ユニットＳから各エアフィルタ２０，１７を送り出す直前に回転ブラシ３０の回転を停止する。したがって、回転ブラシ３０の空運転を防止する。
【００６９】
上記エアフィルタ清掃モードは、上部エアフィルタ２０に対する清掃モードと、上部エアフィルタ２０の位置確認モードと、前部エアフィルタ１７に対する清掃モードと、前部エアフィルタ１７の位置確認モードの順に実行される。したがって、エアフィルタ清掃モードの円滑な実行を図れる。  
上記エアフィルタ清掃モードは、上部エアフィルタ２０と前部エアフィルタ１７をエアフィルタ清掃ユニットＳへ送り込む直前に回転ブラシ３０を回転駆動し、エアフィルタ清掃ユニットＳから上部エアフィルタ２０と前部エアフィルタ１７を送り出す直前に回転ブラシ３０の回転を停止する。したがって、回転ブラシ３０の空運転を防止する。
【００７０】
上記塵埃排出運転モードは、エアフィルタ清掃ユニットＳの開口部３３をシール部材３４で閉成し、そのあと回転ブラシ３０を回転駆動するとともに吸排気装置１１を動作するようにした。したがって、吸排気装置１１の作用が確実なものとなる。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００７１】
【図１】本発明における実施の形態に係る、空気調和機室内機の概略構成図。
【図２】同実施の形態に係る、エアフィルタ清掃ユニットの縦断面図。
【図３】同実施の形態に係る、室内機本体内部の一側部の斜視図。
【図４】同実施の形態に係る、ギヤ組立の斜視図。
【図５】同実施の形態に係る、ギヤ組立およびリフト機構の一部斜視図。
【図６】同実施の形態に係る、室内機本体内部の他側部の斜視図。
【図７】同実施の形態に係る、エアフィルタ初期化モードを概略的に示す図。
【図８】同実施の形態に係る、ギヤ組立の作動を説明する図。
【図９】同実施の形態に係る、上部エアフィルタ清掃モードと、前部エアフィルタ清掃モードおよび塵埃排出モードを概略的に示す図。
【図１０】同実施の形態に係る、エアフィルタ自動清掃フローチャートの第１の段階。
【図１１】同実施の形態に係る、エアフィルタ自動清掃フローチャートの第２の段階。
【図１２】同実施の形態に係る、エアフィルタ自動清掃フローチャートの第３の段階。
【符号の説明】
【００７２】
８…熱交換器、１０…送風機、１…室内機本体、４…前面吸込み口、５…上面吸込み口、１７…前部エアフィルタ、２０…上部エアフィルタ、Ｓ…エアフィルタ清掃ユニット、１１…吸排気装置、Ｎ…制御部（制御手段）、３０…回転ブラシ、３３…開口部、３１…塵埃受け通路、３２…ダストボックス、３４…シール部材。
【図１】
2007205670.tif 000003
【図２】
2007205670.tif 000004
【図３】
2007205670.tif 000005
【図４】
2007205670.tif 000006
【図５】
2007205670.tif 000007
【図６】
2007205670.tif 000008
【図７】
2007205670.tif 000009
【図８】
2007205670.tif 000010
【図９】
2007205670.tif 000011
【図１０】
2007205670.tif 000012
【図１１】
2007205670.tif 000013
【図１２】
2007205670.tif 000014